【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
水素発生器であって、
前記水素発生器は、
筐体と、
液体反応物質を含有し、前記筐体内に配置されている液体リザーバと、
前記筐体内に配置されている反応エリアと、
前記液体反応物質を前記液体リザーバから、液体流路を通して、前記反応エリアに圧送するように構成されているポンプと
を備え、
前記液体は、前記反応エリア内で反応し、水素ガスを放出可能であり、
前記ポンプは、ダイヤフラムポンプであり、
前記ポンプは、
ある容積を有するポンプチャンバと、
前記ポンプチャンバの一部を画定する第１のポンプダイヤフラムと、
入口弁がその中に配置されている、前記ポンプチャンバへの液体入口経路であって、前記入口弁は、閉鎖位置において、第２のシールダイヤフラムに対して付勢される、液体入口経路と、
出口弁がその中に配置されている、前記ポンプチャンバからの液体出口経路であって、前記出口弁は、閉鎖位置において、第３のシールダイヤフラムに対して付勢される、液体出口経路と、
回転可能シャフトを有するモータと、
全てが前記回転可能シャフト上に配置されている、第１のカム、第２のカム、および第３のカムと、
前記第１のカムと接触し、前記第１のカムと協働して、前記第１のポンプダイヤフラムを可逆的に変位させ、前記ポンプチャンバ容積を減少させるように構成されている第１のプッシュロッドと、
前記第２のカムと接触し、前記第２のカムと協働して、前記第２のシールダイヤフラムを可逆的に変位させ、前記入口弁を開放させるように構成されている第２のプッシュロッドと、
前記第３のカムと接触し、前記第３のカムと協働して、前記第３のシールダイヤフラムを可逆的に変位させ、前記出口弁を開放させるように構成されている第３のプッシュロッドと
を備え、
前記第２のシールダイヤフラムは、前記第２のプッシュロッドと前記入口弁との間に配置され、
前記第３のシールダイヤフラムは、前記第３のプッシュロッドと前記出口弁との間に配置され、
前記入口弁が開放されると、前記第２のシールダイヤフラムは、前記入口弁が閉鎖されるときよりも前記入口弁が開放されるときに、前記回転可能シャフトの長手方向中心軸からより離れて配置され、
前記出口弁が開放されると、前記第３のシールダイヤフラムは、前記出口弁が閉鎖されるときよりも前記出口弁が開放されるときに、前記回転可能シャフトの長手方向中心軸からより離れて配置され、
前記液体リザーバと前記反応エリアとの間の前記液体流路内の全ての弁は、機械作動式弁である、水素発生器。
【請求項２】
前記第１、第２、および第３のダイヤフラムは、単一ダイヤフラムシートの別個のエリアである、請求項１に記載の水素発生器。
【請求項３】
前記ダイヤフラムシートは、架橋フッ素ポリマーを含む、請求項２に記載の水素発生器。
【請求項４】
前記入口弁および前記出口弁は、それぞれ、前記入口弁内に配置された入口弁バネおよび前記出口弁内に配置された出口弁バネによって、前記第２および第３のシールダイヤフラムに対して付勢される、請求項１に記載の水素発生器。
【請求項５】
前記ポンプは、ポンプ本体を備え、前記ポンプチャンバ、前記液体入口経路、および前記液体出口経路は、前記ポンプ本体の中に配置されている、請求項１に記載の水素発生器。
【請求項６】
前記ポンプ本体内の空洞および前記第１のダイヤフラムによって画定されている最大ポンプチャンバ容積は、０．０１ｃｍ３〜１ｃｍ３である、請求項１に記載の水素発生器。
【請求項７】
前記ポンプは、最大１００サイクル／分で動作するように構成されている、請求項１に記載の水素発生器。
【請求項８】
前記モータは、電気モータである、請求項１に記載の水素発生器。
【請求項９】
前記ポンプは、前記水素発生器筐体内に配置されている、請求項１に記載の水素発生器。
【請求項１０】
前記ポンプは、前記水素発生器筐体外に配置されている、請求項１に記載の水素発生器。
【請求項１１】
前記液体は、水を含む、請求項１に記載の水素発生器。
【請求項１２】
前記液体は、酸を含む、請求項１１に記載の水素発生器。
【請求項１３】
前記液体は、塩基を含む、請求項１１に記載の水素発生器。
【請求項１４】
前記液体は、化学水素化物を含む、請求項１１に記載の水素発生器。
【請求項１５】
前記水素発生器は、前記反応エリア内に配置された固体反応物質を含む、請求項１に記載の水素発生器。
【請求項１６】
前記水素発生器は、前記反応エリア内に配置された触媒を含む、請求項１に記載の水素発生器。
【請求項１７】
前記ポンプは、所定のポンプ位置を感知するためのセンサを備える、請求項１に記載の水素発生器。
【請求項１８】
燃料電池スタックおよび請求項１に記載の水素発生器を備える、燃料電池システム。
【請求項１９】
前記ポンプは、前記燃料電池スタックによる必要に応じて、水素を供給するように動作されることができる、請求項１８に記載の燃料電池システム。
【請求項２０】
前記ポンプは、単一ポンプチャンバを有し、前記第１のポンプダイヤフラムは、唯一のポンプダイヤフラムである、請求項１に記載の水素発生器。
【請求項２１】
前記入口弁および前記出口弁は、ピンチタイプの弁ではない、請求項１に記載の水素発生器。
【手続補正２】
【補正対象書類名】明細書
【補正対象項目名】００１６
【補正方法】変更
【補正の内容】
【００１６】
「上部」、「下部」、「上方」、「下方」、「上側」、「下側」、「上」、「下」、「正面」、「背面」、「左」、「右」、およびその変形例等の空間的相対用語の使用は、別様に記載されない限り、図面に図示されるように、別の要素または特徴に対するある要素または特徴の関係を説明するための説明の容易さのために意図されるものである。
本願明細書は、例えば、以下の項目も提供する。
（項目１）
水素発生器であって、
前記水素発生器は、
筐体と、
液体反応物質を含有し、前記筐体内に配置される液体リザーバと、
前記筐体内に配置される反応エリアと、
前記液体反応物質を前記液体リザーバから、液体流路を通して、前記反応エリアに圧送するように構成されるポンプと
を備え、
前記液体は、前記反応エリア内で反応し、水素ガスを放出可能であり、
前記ポンプは、ダイヤフラムポンプであり、
前記ポンプは、
ある容積を有するポンプチャンバと、
前記ポンプチャンバの一部を画定する第１のダイヤフラムと、
入口弁がその中に配置される、前記ポンプチャンバへの液体入口経路であって、前記入口弁は、閉鎖位置において、第２のダイヤフラムに対して付勢される、液体入口経路と、
出口弁がその中に配置される、前記ポンプチャンバからの液体出口経路であって、前記出口弁は、閉鎖位置において、第３のダイヤフラムに対して付勢される、液体出口経路と、
回転可能シャフトを有するモータと、
全てが前記回転可能シャフト上に配置される、第１のカム、第２のカム、および第３のカムと、
前記第１のカムと接触し、前記第１のカムと協働して、前記第１のダイヤフラムを可逆的に変位させ、前記ポンプチャンバ容積を減少させるように構成される第１のプッシュロッドと、
前記第２のカムと接触し、前記第２のカムと協働して、前記第２のダイヤフラムを可逆的に変位させ、前記入口弁を開放させるように構成される第２のプッシュロッドと、
前記第３のカムと接触し、前記第３のカムと協働して、前記第３のダイヤフラムを可逆的に変位させ、前記出口弁を開放させるように構成される第３のプッシュロッドと
を備え、
前記液体リザーバと前記反応エリアとの間の液体流路内の全ての弁は、機械作動式弁である、水素発生器。
（項目２）
前記第１、第２、および第３のダイヤフラムは、単一ダイヤフラムシートの別個のエリアである、項目１に記載の水素発生器。
（項目３）
前記ダイヤフラムシートは、架橋フッ素ポリマーを含む、項目２に記載の水素発生器。
（項目４）
前記入口弁および前記出口弁は、それぞれ、入口弁バネおよび出口弁バネによって、前記第２および第３のダイヤフラムに対して付勢される、項目１〜３のいずれかに記載の水素発生器。
（項目５）
前記ポンプは、ポンプ本体を備え、前記ポンプチャンバ、前記液体入口経路、および前記液体出口経路が、前記ポンプ本体の中に配置される、項目１〜４のいずれかに記載の水素発生器。
（項目６）
前記ポンプ本体内の空洞および前記第１のダイヤフラムによって画定される最大ポンプチャンバ容積は、０．０１ｃｍ３〜１ｃｍ３である、項目１〜５のいずれかに記載の水素発生器。
（項目７）
前記ポンプは、最大１００サイクル／分で動作するように構成される、項目１〜６のいずれかに記載の水素発生器。
（項目８）
前記モータは、電気モータである、項目１〜７のいずれかに記載の水素発生器。
（項目９）
前記ポンプは、前記水素発生器筐体内に配置される、項目１〜８のいずれかに記載の水素発生器。
（項目１０）
前記ポンプは、前記水素発生器筐体外に配置される、項目１〜８のいずれかに記載の水素発生器。
（項目１１）
前記液体は、水を含む、項目１〜１０のいずれかに記載の水素発生器。
（項目１２）
前記液体は、酸を含む、項目１１に記載の水素発生器。
（項目１３）
前記液体は、塩基を含む、項目１１に記載の水素発生器。
（項目１４）
前記液体は、化学水素化物を含む、項目１１〜１３のいずれかに記載の水素発生器。
（項目１５）
前記水素発生器は、前記反応エリア内に配置される固体反応物質を含む、項目１〜１４のいずれかに記載の水素発生器。
（項目１６）
前記水素発生器は、前記反応エリア内に配置される触媒を含む、項目１〜１５のいずれかに記載の水素発生器。
（項目１７）
前記ポンプは、所定のポンプ位置を感知するためのセンサを備える、項目１〜１６のいずれかに記載の水素発生器。
（項目１８）
燃料電池スタックおよび項目１〜１７のいずれかに記載の水素発生器を備える、燃料電池システム。
（項目１９）
前記ポンプは、前記燃料電池スタックによる必要に応じて、水素を供給するように動作されることができる、項目１８に記載の燃料電池システム。